(57)【特許請求の範囲】
【請求項１】
フィルムにより密封構造の袋状に形成された気密体と、基端部が気密体に気密状に挿着されていると共に、先端部にエアー供給源に接続される逆止弁付き接続具を設けたエアー供給ホースと、基端部が気密体に気密状に挿着されていると共に、先端部に安全弁を設けた弁取り付けホースと、合成樹脂材により袋状に形成され、前記気密体をエアー供給ホース及び弁取り付けホースの先端部がそれぞれ外方へ突出する状態で収容するカバー体と、合成繊維製の織布により袋状に形成され、前記気密体及びカバー体をエアー供給ホース及び弁取り付けホースの先端部がそれぞれ外方へ突出する状態で収容する内装体と、合成繊維製のたて糸と合成繊維製のよこ糸とを筒状に織成したジャケットの内周面にライニング層を形成して成る消防用ホースと同じ構造のホースを裏返して形成した筒状の外装体又は円筒状織物に塗装を施した筒状の外装体とを備え、前記外装体は、前記気密体、カバー体及び内装体を少なくとも逆止弁付き接続具及び安全弁の先端部分が外装体の一端部から外方へ突出する状態で収容すると共に、両端部が閉じられた状態で偏平な袋状に形成されていることを特徴とする薄型エアージャッキ。
【請求項２】
フィルムにより密封構造の袋状に形成された気密体と、基端部が気密体に気密状に挿着されていると共に、先端部に分岐継手を設けたエアー供給ホースと、前記分岐継手にそれぞれ接続されたエアー供給源に接続される逆止弁付き接続具及び安全弁と、合成樹脂材により袋状に形成され、前記気密体をエアー供給ホースの先端部が外方へ突出する状態で収容するカバー体と、合成繊維製の織布により袋状に形成され、前記気密体及びカバー体をエアー供給ホースの先端部が外方へ突出する状態で収容する内装体と、合成繊維製のたて糸と合成繊維製のよこ糸とを筒状に織成したジャケットの内周面にライニング層を形成して成る消防用ホースと同じ構造のホースを裏返して形成した筒状の外装体又は円筒状織物に塗装を施した筒状の外装体とを備え、前記外装体は、前記気密体、カバー体及び内装体を少なくとも逆止弁付き接続具及び安全弁の先端部分が外装体の一端部から外方へ突出する状態で収容すると共に、両端部が閉じられた状態で偏平な袋状に形成されていることを特徴とする薄型エアージャッキ。
【請求項３】
前記気密体は、ガスバリア性に優れた多層フィルム又は単層フィルムにより密封構造の矩形の袋状に形成されており、対向する二つの辺にエアー供給ホース及び弁取り付けホースの基端部がそれぞれ挿入される傾斜姿勢のホース取り付け筒部を備え、また、前記エアー供給ホース及び弁取り付けホースは、その基端部が気密体の各ホース取り付け筒部内にそれぞれ挿入されており、ホース取り付け筒部の外周面の一部又は全部が締め付け手段により気密状に締め付けられて抜け止めされていることを特徴とする請求項１に記載の薄型エアージャッキ。
【請求項４】
前記気密体は、ガスバリア性に優れた多層フィルム又は単層フィルムにより密封構造の矩形の袋状に形成されており、一つの辺にエアー供給ホースの基端部が挿入される傾斜姿勢のホース取り付け筒部を備え、また、前記エアー供給ホースは、その基端部が気密体のホース取り付け筒部内に挿入されており、ホース取り付け筒部の外周面の一部又は全部が締め付け手段により気密状に締め付けられて抜け止めされていることを特徴とする請求項２に記載の薄型エアージャッキ。
【請求項５】
前記多層フィルムをナイロン多層フィルムとし、また、単層フィルムを熱可塑性ポリウレタンフィルムとしたことを特徴とする請求項３又は請求項４に記載の薄型エアージャッキ。
【請求項６】
前記気密体の各ホース取り付け筒部とエアー供給ホース及び弁取り付けホースの基端部とは、気密体の内方に位置し、エアー供給ホース及び弁取り付けホースの先端部は、気密体の外方向に位置していることを特徴とする請求項３に記載の薄型エアージャッキ。
【請求項７】
前記気密体のホース取り付け筒部とエアー供給ホースの基端部とは、気密体の内方に位置し、エアー供給ホース先端部は、気密体の外方向に位置していることを特徴とする請求項４に記載の薄型エアージャッキ。
【請求項８】
前記気密体のホース取り付け筒部を備えていない対向する二つの辺を、それぞれ内方へ折り込んだことを特徴とする請求項３又は請求項４に記載の薄型エアージャッキ。
【請求項９】
前記エアー供給ホース及び弁取り付けホースの気密体のホース取り付け筒部への挿入長さをそれぞれ３ｃｍ以上としたことを特徴とする請求項３に記載の薄型エアージャッキ。
【請求項１０】
前記エアー供給ホースの気密体のホース取り付け筒部への挿入長さを３ｃｍ以上としたことを特徴とする請求項４に記載の薄型エアージャッキ。
【請求項１１】
前記エアー供給ホース及び弁取り付けホースの基端部外周面と気密体のホース取り付け筒部内周面との間にそれぞれ接着剤層を介在させたことを特徴とする請求項３に記載の薄型エアージャッキ。
【請求項１２】
前記エアー供給ホースの基端部外周面と気密体のホース取り付け筒部内周面との間に接着剤層を介在させたことを特徴とする請求項４に記載の薄型エアージャッキ。
【請求項１３】
前記気密体の外周縁部両面の一部若しくは全てにテープ製又は布製若しくは樹脂シート製の補強片を貼り付けたことを特徴とする請求項１又は請求項２に記載の薄型エアージャッキ。
【請求項１４】
前記逆止弁付き接続具を、ワンタッチジョイント式の逆止弁付きカプラーとしたことを特徴とする請求項１又は請求項２に記載の薄型エアージャッキ。
【請求項１５】
前記カバー体は、合成樹脂チューブ又は合成樹脂シートにより少なくとも一辺が開放された矩形の袋状に形成されており、開放された辺に隣接する辺にエアー供給ホース及び弁取り付けホースの先端部側をそれぞれ外部へ引き出せる引き出し穴を形成したことを特徴とする請求項１に記載の薄型エアージャッキ。
【請求項１６】
前記カバー体は、合成樹脂チューブ又は合成樹脂シートにより少なくとも一辺が開放された矩形の袋状に形成されており、開放された辺に隣接する辺にエアー供給ホースの先端部側を外部へ引き出せる引き出し穴を形成したことを特徴とする請求項２に記載の薄型エアージャッキ。
【請求項１７】
前記内装体は、合成繊維製の帯状の織布から成り、帯状の織布の両端部を重ね合わせてその重なり部分を縫着又は接着すると共に、内装体の内方に気密体及びカバー体を収容して内装体の内面で気密体の両端部を保持する構成としたことを特徴とする請求項１又は請求項２に記載の薄型エアージャッキ。
【請求項１８】
前記外装体は、合成繊維製のたて糸と合成繊維製のよこ糸とを筒状に織成したジャケットの内周面に熱可塑性ポリウレタンエラストマー製のライニング層を形成した消防用ホースと同じ構造のホースを裏返したもの又は円筒状織物に塗装を施したものであり、少なくとも逆止弁付き接続具及び安全弁の先端部分が外装体の基端部開口から外方へ突出する状態で消防用ホース又は円筒状織物の両端部開口を金具、溶着及び縫着のうち少なくとも何れか一つにより閉じて偏平な袋状に形成されていることを特徴とする請求項１に記載の薄型エアージャッキ。
【請求項１９】
前記外装体は、合成繊維製のたて糸と合成繊維製のよこ糸とを筒状に織成したジャケットの内周面に熱可塑性ポリウレタンエラストマー製のライニング層を形成した消防用ホースと同じ構造のホースを裏返したもの又は円筒状織物に塗装を施したものであり、少なくとも逆止弁付き接続具及び安全弁の先端部分が外装体の基端部開口から外方へ突出する状態で消防用ホース又は円筒状織物の両端部開口を金具、溶着及び縫着のうち少なくとも何れか一つにより閉じて偏平な袋状に形成されていることを特徴とする請求項２に記載の薄型エアージャッキ。
【請求項２０】
前記エアー供給ホースの一部分と外装体の一部分とを金属リングによるかしめ加工により固定したことを特徴とする請求項１又は請求項２に記載の薄型エアージャッキ。
【発明の詳細な説明】
【技術分野】
【０００１】  本発明は、例えば、修理や点検等を行う自動車等の重量物を持ち上げたり、或いは、地震や台風、事故等により倒壊した建物等の所要箇所を持ち上げて下敷きになっている人を救助したりするのに用いる薄型エアージャッキに係り、特に、安全性に優れていると共に、極めて狭い隙間でも差し込めて自動車等の重量物を持ち上げることができ、しかも、自転車の空気入れやコンプレッサー等でもエアーを供給できて取扱性及び操作性に優れている薄型エアージャッキに関するものである。
【背景技術】
【０００２】  一般に、自動車等の重量物を持ち上げたりするジャッキには、従前から油圧式ジャッキや機械式ジャッキ等が使用されている。  これらのジャッキは、何れも縮んだ時の高さが高く、狭い隙間へ挿入することができないうえ、重たくて取扱性に劣ると云う問題があった。【０００３】  そこで、上述した問題を解決する袋構造のエアージャッキ装置が開発され、特開２０００−２４７５８７号（参考文献１参照）として公開されている。【０００４】  即ち、前記エアージャッキ装置２０は、図１２〜図１４に示す如く、矩形状のゴムチューブ２１と、ナイロン織布又はアラミド織布により矩形に形成され、ゴムチューブ２１を収容する外囲体２２と、ゴムチューブ２１にエアーを供給するエアージョイント２３とを備えており、ゴムチューブ２１及び外囲体２２の対向する一組の辺が、それぞれ金属板２４とネジ２５及びナット２６とにより挟持されると共に、ゴムチューブ２１及び外囲体２２の対向する他の組の辺が、それぞれＶ字状に内側に折り込まれている。【０００５】  また、ゴムチューブ２１と外囲体２２との間及び外囲体２２の表面には、それぞれ外囲体２２を挟んで二組の金属製補強板２７が配置されている。この二組の金属製補強板２７は、リベット２８により結合されている。【０００６】  更に、外囲体２２の表面側の金属製補強板２７には、それぞれゴム板２９が固着されており、このゴム板２９のうち、上側のゴム板２９には、自動車車体の下部フレーム３０が入り込む凹溝３１が形成されている。【０００７】  而して、前記エアージャッキ装置２０は、持ち上げようとする重量物の下面に配置した後、エアージョイント２３より圧搾空気をゴムチューブ２１内に注入すると、ゴムチューブ２１が膨張すると共に、これに伴って外囲体２２も膨張し、重量物を持ち上げることができる。【０００８】  このエアージャッキ装置２０は、ゴムチューブ２１及び織布製の外囲体２２を使用しているため、外観形状を全体的に薄くすることができ、狭い隙間に差し込んで重量物を持ち上げることができる。【０００９】  しかし、前記エアージャッキ装置２０は、織布製の外囲体２２内にゴムチューブ２１を収容しているため、外囲体２２とゴムチューブ２１との摩擦抵抗が極めて大きくなり、外囲体２２及びゴムチューブ２１に荷重が掛かった状態でゴムチューブ２１が膨らむときに、ゴムチューブ２１が均等に膨らまず、ゴムチューブ２１に部分的に大きな負荷がかかってゴムチューブ２１が破裂する虞があり、安全性に劣ると云う問題があった。【００１０】  また、前記エアージャッキ装置２０は、ゴムチューブ２１を膨らませるときにゴムチューブ２１内に圧搾空気を入れ過ぎることがあり、最悪の場合には、ゴムチューブ２１が破裂する虞があった。【００１１】  更に、前記エアージャッキ装置２０は、ゴムチューブ２１及び外囲体２２の両端部を金属板２４で挟持すると共に、外囲体２２の中央部表面側に金属製補強板２７及びゴム板２９を取り付けているため、厚みを極端に薄くすることができず、最小の厚みが６ｃｍ程度となっている。その結果、極めて狭い隙間には、挿入することができず、使用できないと云う問題があった。【００１２】  更に、前記エアージャッキ装置２０は、ゴムチューブ２１を膨らませなければならないため、例えば、手動式の自転車の空気入れではゴムチューブ２１を膨らませ難く、使用時にはエアーコンプレッサーが必要となり、取扱性及び操作性に劣ると云う問題があった。
【先行技術文献】
【特許文献】
【００１３】
【特許文献１】特開２０００−２４７５８７号公報
【発明の概要】
【発明が解決しようとする課題】
【００１４】  本発明は、このような問題点に鑑みて為されたものであり、その目的は、安全性に優れていると共に、極めて狭い隙間でも差し込めて自動車等の重量物を持ち上げることができ、しかも、自転車の空気入れやコンプレッサー等でもエアーを供給できて取扱性及び操作性に優れている薄型エアージャッキを提供することにある。
【課題を解決するための手段】
【００１５】
上記目的を達成するために、本発明の第１の発明は、フィルムにより密封構造の袋状に形成された気密体と、基端部が気密体に気密状に挿着されていると共に、先端部にエアー供給源に接続される逆止弁付き接続具を設けたエアー供給ホースと、基端部が気密体に気密状に挿着されていると共に、先端部に安全弁を設けた弁取り付けホースと、合成樹脂材により袋状に形成され、前記気密体をエアー供給ホース及び弁取り付けホースの先端部がそれぞれ外方へ突出する状態で収容するカバー体と、合成繊維製の織布により袋状に形成され、前記気密体及びカバー体をエアー供給ホース及び弁取り付けホースの先端部がそれぞれ外方へ突出する状態で収容する内装体と、合成繊維製のたて糸と合成繊維製のよこ糸とを筒状に織成したジャケットの内周面にライニング層を形成して成る消防用ホースと同じ構造のホースを裏返して形成した筒状の外装体又は円筒状織物に塗装を施した筒状の外装体とを備え、前記外装体は、前記気密体、カバー体及び内装体を少なくとも逆止弁付き接続具及び安全弁の先端部分が外装体の一端部から外方へ突出する状態で収容すると共に、両端部が閉じられた状態で偏平な袋状に形成されていることに特徴がある。
【００１６】
本発明の第２の発明は、フィルムにより密封構造の袋状に形成された気密体と、基端部が気密体に気密状に挿着されていると共に、先端部に分岐継手を設けたエアー供給ホースと、前記分岐継手にそれぞれ接続されたエアー供給源に接続される逆止弁付き接続具及び安全弁と、合成樹脂材により袋状に形成され、前記気密体をエアー供給ホースの先端部が外方へ突出する状態で収容するカバー体と、合成繊維製の織布により袋状に形成され、前記気密体及びカバー体をエアー供給ホースの先端部が外方へ突出する状態で収容する内装体と、合成繊維製のたて糸と合成繊維製のよこ糸とを筒状に織成したジャケットの内周面にライニング層を形成して成る消防用ホースと同じ構造のホースを裏返して形成した筒状の外装体又は円筒状織物に塗装を施した筒状の外装体とを備え、前記外装体は、前記気密体、カバー体及び内装体を少なくとも逆止弁付き接続具及び安全弁の先端部分が外装体の一端部から外方へ突出する状態で収容すると共に、両端部が閉じられた状態で偏平な袋状に形成されていることに特徴がある。
【００１７】  本発明の第３の発明は、前記第１の発明において、前記気密体は、ガスバリア性に優れた多層フィルム又は単層フィルムにより密封構造の矩形の袋状に形成されており、対向する二つの辺にエアー供給ホース及び弁取り付けホースの基端部がそれぞれ挿入される傾斜姿勢のホース取り付け筒部を備え、また、前記エアー供給ホース及び弁取り付けホースは、その基端部が気密体の各ホース取り付け筒部内にそれぞれ挿入されており、ホース取り付け筒部の外周面の一部又は全部が締め付け手段により気密状に締め付けられて抜け止めされていることに特徴がある。【００１８】  本発明の第４の発明は、前記第２の発明において、前記気密体は、ガスバリア性に優れた多層フィルム又は単層フィルムにより密封構造の矩形の袋状に形成されており、一つの辺にエアー供給ホースの基端部が挿入される傾斜姿勢のホース取り付け筒部を備え、また、前記エアー供給ホースは、その基端部が気密体のホース取り付け筒部内に挿入されており、ホース取り付け筒部の外周面の一部又は全部が締め付け手段により気密状に締め付けられて抜け止めされていることに特徴がある。【００１９】  本発明の第５の発明は、前記第３の発明又は第４の発明において、前記多層フィルムをナイロン多層フィルムとし、また、単層フィルムを熱可塑性ポリウレタンフィルムとしたことに特徴がある。【００２０】  本発明の第６の発明は、前記第３の発明において、前記気密体の各ホース取り付け筒部とエアー供給ホース及び弁取り付けホースの基端部とは、気密体の内方に位置し、エアー供給ホース及び弁取り付けホースの先端部は、気密体の外方向に位置していることに特徴がある。【００２１】  本発明の第７の発明は、前記第４の発明において、前記気密体のホース取り付け筒部とエアー供給ホースの基端部とは、気密体の内方に位置し、エアー供給ホース先端部は、気密体の外方向に位置していることに特徴がある。【００２２】  本発明の第８の発明は、前記第３の発明又は第４の発明において、前記気密体のホース取り付け筒部を備えていない対向する二つの辺を、それぞれ内方へ折り込んだことに特徴がある。【００２３】
本発明の第９の発明は、前記第３の発明において、前記エアー供給ホース及び弁取り付けホースの気密体のホース取り付け筒部への挿入長さをそれぞれ３ｃｍ以上としたことに特徴がある。
【００２４】
本発明の第１０の発明は、前記第４の発明において、前記エアー供給ホースの気密体のホース取り付け筒部への挿入長さを３ｃｍ以上としたことに特徴がある。
【００２５】  本発明の第１１の発明は、前記第３の発明において、前記エアー供給ホース及び弁取り付けホースの基端部外周面と気密体のホース取り付け筒部内周面との間にそれぞれ接着剤層を介在させたことに特徴がある。【００２６】
本発明の第１２の発明は、前記第４の発明において、前記エアー供給ホースの基端部外周面と気密体のホース取り付け筒部内周面との間に接着剤層を介在させたことに特徴がある。
【００２７】  本発明の第１３の発明は、前記第１の発明又は第２の発明において、前記気密体の外周縁部両面の一部若しくは全てにテープ製又は布製若しくは樹脂シート製の補強片を貼り付けたことに特徴がある。【００２８】  本発明の第１４の発明は、前記第１の発明又は第２の発明において、前記逆止弁付き接続具を、ワンタッチジョイント式の逆止弁付きカプラーとしたことに特徴がある。【００２９】  本発明の第１５の発明は、前記第１の発明において、前記カバー体は、合成樹脂チューブ又は合成樹脂シートにより少なくとも一辺が開放された矩形の袋状に形成されており、開放された辺に隣接する辺にエアー供給ホース及び弁取り付けホースの先端部側をそれぞれ外部へ引き出せる引き出し穴を形成したことに特徴がある。【００３０】  本発明の第１６の発明は、前記第２の発明において、前記カバー体は、合成樹脂チューブ又は合成樹脂シートにより少なくとも一辺が開放された矩形の袋状に形成されており、開放された辺に隣接する辺にエアー供給ホースの先端部側を外部へ引き出せる引き出し穴を形成したことに特徴がある。【００３１】  本発明の第１７の発明は、前記第１の発明又は第２の発明において、前記内装体は、合成繊維製の帯状の織布から成り、帯状の織布の両端部を重ね合わせてその重なり部分を縫着又は接着すると共に、内装体の内方に気密体及びカバー体を収容して内装体の内面で気密体の両端部を保持する構成としたことに特徴がある。【００３２】  本発明の第１８の発明は、前記第１の発明において、前記外装体は、合成繊維製のたて糸と合成繊維製のよこ糸とを筒状に織成したジャケットの内周面に熱可塑性ポリウレタンエラストマー製のライニング層を形成した消防用ホースと同じ構造のホースを裏返したもの又は円筒状織物に塗装を施したものであり、少なくとも逆止弁付き接続具及び安全弁の先端部分が外装体の基端部開口から外方へ突出する状態で消防用ホース又は円筒状織物の両端部開口を金具、溶着及び縫着のうち少なくとも何れか一つにより閉じて偏平な袋状に形成されていることに特徴がある。【００３３】  本発明の第１９の発明は、前記第２の発明において、前記外装体は、合成繊維製のたて糸と合成繊維製のよこ糸とを筒状に織成したジャケットの内周面に熱可塑性ポリウレタンエラストマー製のライニング層を形成した消防用ホースと同じ構造のホースを裏返したもの又は円筒状織物に塗装を施したものであり、少なくとも逆止弁付き接続具及び安全弁の先端部分が外装体の基端部開口から外方へ突出する状態で消防用ホース又は円筒状織物の両端部開口を金具、溶着及び縫着のうち少なくとも何れか一つにより閉じて偏平な袋状に形成されていることに特徴がある。【００３４】  本発明の第２０の発明は、前記第１の発明又は第２の発明において、前記エアー供給ホースの一部分と外装体の一部分とを金属リングによるかしめ加工により固定したことに特徴がある。
【発明の効果】
【００３５】  本発明の薄型エアージャッキは、フィルムにより形成した袋状の気密体を合成樹脂材により形成した袋状のカバー体に収容し、これらを更に合成繊維製の内装体及び消防用ホースと同じ構造の外装体又は円筒状織物に塗装を施した筒状の外装体に順次収容しているため、カバー体によって気密体と内装体との摩擦抵抗が大幅に低減されることになり、その結果、薄型エアージャッキに荷重がかかった状態で気密体が膨らむときに気密体が均等に膨らみ、気密体に部分的に負荷がかかると云うことがなく、気密体の破裂を防止することができ、安全性に優れている。【００３６】  本発明の薄型エアージャッキは、気密体に安全弁を設けた弁取り付けホースを取り付けているため、気密体を膨らませるときに気密体内に圧搾空気を入れ過ぎても、安全弁から過剰な圧搾空気が排出されるので、気密体が破裂すると云うことが無く、より安全性に優れている。【００３７】  本発明の薄型エアージャッキは、気密体をガスバリア性に優れた多層フィルム又は単層フィルムにより形成しているため、気密体の気密性が極めて優れたものになり、また、外装体に消防用ホースと同じ構造のホースを裏返したもの又は円筒状織物に塗装を施したものを使用しているため、外装体の耐久性及び耐破裂性が大幅に向上することになり、使用中にエアーが抜けたり、外装体が破裂したりすると云うことがなく、より安全性に優れている。【００３８】  本発明の薄型エアージャッキは、袋状の気密体、袋状のカバー体、袋状の内装体及び筒状の外装体から成るため、これらを偏平状にしたときにその厚みを極めて薄くすることができ、その結果、極めて狭い隙間でも差し込むことができて自動車等の重量物を持ち上げることができる。【００３９】  本発明の薄型エアージャッキは、矩形の袋状に形成された気密体の対向する辺にエアー供給ホース及び弁取り付けホースの基端部がそれぞれ挿入されるホース取り付け筒部を形成し、各ホース取り付け筒部にエアー供給ホース及び弁取り付けホースの基端部をそれぞれ挿入して各ホース取り付け筒部の外周面の一部又は全部を締め付け手段により締め付けてエアー供給ホース及び弁取り付けホースを抜け止めするようにしているため、気密体にエアー供給ホース及び弁取り付けホースを挿入するための穴を開ける場合に比較して気密体の強度を保つことができると共に、エアー供給ホース及び弁取り付けホースが気密体から抜け難くなるうえ、ホース取り付け筒部とエアー供給ホース及び弁取り付けホースとの間の気密性が高められ、気密体からエアーが抜け難くなる。【００４０】  本発明の薄型エアージャッキは、気密体にエアーを供給するエアー供給ホースの先端部に逆止弁付き接続具を設け、この逆止弁付き接続具をワンタッチジョイント式の逆止弁付きカプラーとしているため、媒介ホースを変えることで、手動式の自転車の空気入れ又はコンプレッサー若しくは足踏み式ポンプでもエアーを供給することができ、取扱性及び操作性に優れている。【００４１】  本発明の薄型エアージャッキは、エアー供給ホース及び弁取り付けホースの基端部を取り付ける各ホース取り付け筒部が気密体の内方に位置しているため、気密体の膨張時に各ホース取り付け筒部が外力を受けることが���く、気密体の各ホース取り付け筒部が破れるのを防止することができる。【００４２】  本発明の薄型エアージャッキは、気密体のホース取り付け部を備えていない二つの辺を、それぞれ内方へ折り込んでいるため、気密体が膨張しても前記二つの辺が無理に引き伸ばされることが無く、密封体の両端部（ホース取り付け筒部を備えていない二つの辺）が破れるのを防止することができる。【００４３】  本発明の薄型エアージャッキは、気密体が膨らんだときにエアー供給ホース及び弁取り付けホースの一部分が気密体の内圧により外装体の内周面側へ強く押え付けられるため、エアー供給ホースが気密体から抜け難くなり、エアー供給ホースの抜け止めに必要以上の強度を必要としない。【００４４】  本発明の薄型エアージャッキは、エアー供給ホース及び弁取り付けホースの気密体のホース取り付け筒部への挿入長さをそれぞれ数ｃｍ以上としているため、エアー供給ホース及び弁取り付けホースが気密体からより抜け難くなる。【００４５】  本発明の薄型エアージャッキは、エアー供給ホース及び弁取り付けホースの基端部外周面と気密体のホース取り付け筒部内周面との間に接着剤層を介在させているため、エアー供給ホース及び弁取り付けホースが気密体からより一層抜け難くなると共に、ホース取り付け筒部とエアー供給ホース及び弁取り付けホースとの気密性がより高められ、気密体からエアーがより抜け難くなる。【００４６】  本発明の薄型エアージャッキは、気密体の外周縁部両面の一部若しくは全てにテープ製又は布製若しくは樹脂シート製の補強片を貼り付けているため、気密体の外周縁部の一部若しくは全部が補強され、気密体に圧搾空気を注入しても、気密体の外周縁部が破れ難くなる。【００４７】  本発明の薄型エアージャッキは、内装体が合成繊維製の帯状の織布から成り、帯状の織布の両端部を重ね合わせてその重なり部分を縫着又は接着すると共に、内装体の内方に気密体及びカバー体を収納して内装体の内面で気密体の両端部を保持するようにしているため、気密体が膨らんだときに気密体の両端部が内装体により保持されるので、気密体の両端部が破れ難くなる。【００４８】  本発明の薄型エアージャッキは、外装体に消防用ホースと同じ構造のホースを裏返したもの又は円筒状織物に塗装を施したものを使用しているため、外装体の耐摩耗性及び耐候性等が向上すると共に、外装体の強度向上を図ることができる。【００４９】  本発明の薄型エアージャッキは、エアー供給ホースの一部分と外装体の一部分とを金属リングによるかしめ加工により固定しているため、エアー供給ホースがより抜け難くなる。【００５０】  本発明の薄型エアージャッキは、基端部が気密体に気密状に取り付けられた一本のエアー供給ホースの先端部に二股状の分岐継手を取り付け、この二股の分岐継手にそれぞれ逆止弁付き接続具と安全弁とを取り付けているため、弁取り付けホースを省略することができ、薄型エアージャッキの組み立て作業の簡略化及び組み立て時間の短縮を図れる。また、この薄型エアージャッキは、逆止弁付き接続具、安全弁、エアー供給ホース、分岐継手が外装体の一方の長辺に片寄った状態で配設されているため、外装体の他方の長辺部分は、気密体、カバー体、内装���及び外装体だけの厚みとなるので極めて狭い隙間にも差し込むことができる。
【図面の簡単な説明】
【００５１】
【図１】本発明の実施形態に係る薄型エアージャッキの平面図である。
【図２】薄型エアージャッキの分解斜視図である。
【図３】気密体へのエアー供給ホース及び弁取り付けホースの取り付け状態を示す説明図であり、（ａ）はエアー供給ホース及び弁取り付けホースを取り付ける前の気密体の平面図、（ｂ）は気密体のホース取り付け筒部にエアー供給ホース及び弁取り付けホースの基端部を取り付けた平面図、（ｃ）は気密体の開口を溶着した状態の平面図、（ｄ）は気密体の両端部を内部に折り込んだ状態の平面図である。
【図４】エアー供給ホース及び弁取り付けホースを取り付けた気密体の平面図である。
【図５】図４のＡ−Ａ線拡大断面図である。
【図６】カバー体内に気密体を収容した状態の平面図である。
【図７】内装体内に気密体及びカバー体を収容した状態の平面図である。
【図８】外装体内に気密体、カバー体及び内装体を収容し、外装体の両端部を閉じた状態の平面図である。
【図９】薄型エアージャッキを膨らませた状態のエアー供給ホース及び弁取り付けホース部分の拡大断面図である。
【図１０】本発明の他の実施形態に係る薄型エアージャッキの平面図である。
【図１１】分岐継手、逆止弁付き接続具及び安全弁を取り付けたエアー供給ホースを気密体に取り付けた状態の平面図である。
【図１２】従来のエアージャッキ装置の斜視図である。
【図１３】図１２のＢ−Ｂ線拡大断面図である。
【図１４】図１２のＣ−Ｃ線拡大断面図である。
【発明を実施するための形態】
【００５２】  以下、本発明の実施形態を図面に基づいて詳細に説明する。  図１及び図２は本発明の実施形態に係る薄型エアージャッキ１を示し、当該薄型エアージャッキ１は、普通自動車や特殊自動車等の自動車の修理・点検等を行う際に自動車を持ち上げたり、或いは、地震や台風等により倒壊した建物等の所要箇所を持ち上げて下敷きになっている人を救助したりするのに用いるものである。
【００５３】  即ち、前記薄型エアージャッキ１は、フィルムにより密封構造の矩形の袋状に形成された気密体２と、基端部が気密体２に気密状に挿着されると共に、先端部にエアー供給源に接続される逆止弁付き接続具３を設けたエアー供給ホース４と、基端部が気密体２に気密状に挿着されると共に、先端部に安全弁５を設けた弁取り付けホース６と、摩擦抵抗の少ない合成樹脂材により矩形の袋状に形成され、前記気密体２をエアー供給ホース４及び弁取り付けホース６の先端部がそれぞれ外方へ突出する状態で収容するカバー体７と、合成繊維製の織布により矩形の袋状に形成され、前記気密体２及びカバー体７をエアー供給ホース４及び弁取り付けホース６の先端部がそれぞれ外方へ突出する状態で収容する内装体８と、消防用ホースと同じ構造のホースを裏返して形成した筒状の外装体９又は強度のある円筒状織物に塗装を施した筒状の外装体９とを備え、前記外装体９は、前記気密体２、カバー体７及び内装体８を少なくとも逆止弁付き接続具３及び安全弁５の先端部分が外装体９の一端部から外方へ突出する状態で収容すると共に、両端部が閉じられた状態で偏平な袋状に形成されている。
【００５４】  前記気密体２は、図３（ａ）に示す如く、ガスバリア性に優れた多層フィルム又は単層フィルムにより長方形状に形成された二枚のフィルム材を重ね合わせ、二枚のフィルム材の一方の短辺を除いて二枚のフィルム材の外周縁部を幅数ｍｍに亘って溶着２ｂ（熱溶着又は超音波溶着若しくは高周波溶着）することにより、長方形の袋状に形成されており、対向する長辺に、エアー供給ホース４及び弁取り付けホース６の基端部がそれぞれ挿入される傾斜姿勢のホース取り付け筒部２ａを備えている。前記二つのホース取り付け筒部２ａは、それぞれ気密体２の内方に位置しており、気密体２の内部と外部とを連通状態にしている。  ここでガスバリア性に優れた多層フィルム又は単層フィルムとは、酸素透過度が４０ｃｃ／ｍ２・ａｔｍ・ｄａｙ以下で且つ透湿度が８ｇ／ｍ２・ｄａｙ以下の多層フィルム又は単層フィルムを言う。
【００５５】  前記気密体２は、図３（ｂ）及び（ｃ）に示す如く、エアー供給ホース４及び弁取り付けホース６の基端部を気密体２の各ホース取り付け筒部２ａにそれぞれ挿入して気密状に取り付けた後、気密体２の開口している辺（短辺）を溶着２ｂ（熱溶着又は超音波溶着若しくは高周波溶着）して閉じることにより、密封構造の長方形の袋状に構成されている。
【００５６】  また、気密体２のエアー供給ホース４及び弁取り付けホース６を取り付けていない二つの辺（短辺）は、図３（ｄ）及び図５に示す如く、それぞれ気密体２の内方へＶ字状（気密体２の内方に位置する部分が断面形状Ｖ字状になっている）に折り込まれており、気密体２が膨張しても前記二つの辺（短辺）が無理に引き伸ばされないようにしている。これにより、気密体２の両端部（ホース取り付け筒部２ａを備えていない二つの辺）が破れるのを防止することができる。尚、気密体２の二つの辺（短辺）は、図示していないが、気密体２の内方へＷ字状（気密体２の内方に位置する部分が断面形状Ｗ字状になっている）に折り込んでも良い。
【００５７】  更に、気密体２の短辺側の両端部外面と、エアー供給ホース４及び弁取り付けホース６に対向する部分で且つ気密体２の長辺側の両端部外面には、図２及び図４に示す如く、ダクトテープ製の補強片１０が貼り付けられており、気密体２の外周縁部の一部を補強するようにしている。
【００５８】  この実施形態においては、気密体２には、ガスバリア性に優れて柔軟性のある３層フィルム、即ち、ＭＩＣＳ化学株式会社製のトリプルナイロン（商品名）が使用されており、気密体２は、長方形状の二枚のフィルム材をインパルス式溶着で溶着２ｂすることにより形成されている。このトリプルナイロンは、厚みが７０μｍ、引張強度が４５ＭＰａ、引張伸度が３５０％、引裂強度が１４０Ｎ／ｍｍ、衝撃強度が１４０Ｎ・ｃｍ、突き刺し強度が５．０Ｎ、酸素透過度が４０ｃｃ／ｍ２・ａｔｍ・ｄａｙ、透湿度が８ｇ／ｍ２・ｄａｙとなっている。
【００５９】  また、この実施形態においては、気密体２の長さは約５６ｃｍに、気密体２の幅は約２８ｃｍに、気密体２の溶着部の幅は５ｍｍに、気密体２の各ホース取り付け筒部２ａの長さは約５ｃｍ〜１０ｃｍにそれぞれ設定されている。
【００６０】  尚、上記の実施形態においては、気密体２を３層フィルムにより形成したが、他の実施形態においては、気密体２を熱可塑性ポリウレタンフィルムやポリ乳酸フィルム、PET・PEN・PBTフィルム等のポリエステルフィルム、EVOH・PVA・バリアNy等のバリア性樹脂フィルム等の単層フィルムにより形成しても良く、或いは、気密体２を４層フィルム（例えば、ダイアミロンM-G708（商品名））、５層フィルム（例えば、フィルミックスHB（商品名）やファイブバリアー（商品名））等で形成しても良い。
【００６１】  また、上記の実施形態においては、気密体２の外周縁部両面の一部分に補強片１０を貼り付けるようにしたが、他の実施形態においては、気密体２の外周縁部両面の全てに補強片１０を貼り付けるようにしても良い。
【００６２】  更に、上記実施形態においては、気密体２にダクトテープ製の補強片１０を貼り付けるようにしたが、他の実施形態においては、気密体２にアルミテープ製又は布粘着テープ製若しくはガムテープ製の補強片１０を貼り付けるようにしても良く、或いは、気密体２に布製の補強片１０や合成樹脂シート製の補強片１０を両面粘着テープ又は接着剤により貼り付けるようにしても良い。
【００６３】  前記エアー供給ホース４は、特殊ポリウレタン樹脂製の耐圧ホースにより形成されており、その基端部が気密体２の一方のホース取り付け筒部２ａ内に挿入され、ホース取り付け筒部２ａの外周面の一部又は全部を締め付け手段で締め付けることにより抜け止めされていると共に、その先端部には、エアー供給源（図示省略）に接続される逆止弁付き接続具３が設けられている。
【００６４】  この実施形態においては、前記締め付け手段として、糸１１（ポリエステル糸）が用いられている。即ち、エアー供給ホース４の基端部は、図３（ｂ）に示す如く、気密体２の外方から一方のホース取り付け筒部２ａ内に挿入され、気密体の内方に位置するホース取り付け筒部２ａの外周面の一部（又は全部）に糸１１（ポリエステル糸）を緊密に巻き付けて接着剤を塗布することにより抜け止めされている。
【００６５】  また、エアー供給ホース４の基端部外周面と気密体２のホース取り付け筒部２ａ内周面との間には、接着剤層（図示省略）が介在されており、エアー供給ホース４の基端部がホース取り付け筒部２ａから抜けないようにしていると共に、エアー供給ホース４の基端部外周面と気密体２のホース取り付け筒部２ａ内周面との間の気密性が保たれるようにしている。
【００６６】  更に、エアー供給ホース４は、気密体２のホース取り付け筒部２ａへの挿入長さが数ｃｍ以上、好ましくは３ｃｍ以上となるようにホース取り付け筒部２ａに挿入されており、エアー供給ホース４が気密体２から容易に抜けない程度に設定されている。
【００６７】  この実施形態においては、エアー供給ホース４のホース取り付け筒部２ａへの挿入長さは、ホース取り付け筒部２ａの長さとほぼ同じ長さに設定されている。
【００６８】  前記エアー供給ホース４の先端部に設けた逆止弁付き接続具３は、ソケットタイプで且つワンタッチジョイント式の逆止弁付きカプラーから成り、エアー供給源である自転車の空気入れ又はコンプレッサー若しくは足踏み式ポンプに媒介ホース（何れも図示省略）を介してワンタッチで接続できる構成となっている。
【００６９】  尚、上記の実施形態においては、逆止弁付き接続具３をソケットタイプで且つワンタッチジョイント式の逆止弁付きカプラーとしたが、他の実施形態においては、逆止弁付き接続具３をプラグタイプで且つワンタッチジョイント式の逆止弁付きカプラーとしても良い。
【００７０】  前記弁取り付けホース６は、特殊ポリウレタン樹脂製の耐圧ホースにより形成されており、その基端部が気密体２の他方のホース取り付け筒部２ａ内に挿入され、ホース取り付け筒部２ａの外周面の一部又は全部を締め付け手段で締め付けることにより抜け止めされていると共に、その先端部には、安全弁５がホースニップル１２を介して金属リング１３（アルミリング）によるかしめ加工により取り付けられている。
【００７１】  この実施形態においては、前記締め付け手段として、糸１１（ポリエステル糸）が用いられている。即ち、弁取り付けホース６の基端部は、図３（ｂ）に示す如く、気密体２の外方から他方のホース取り付け筒部２ａ内に挿入され、気密体２の内方に位置するホース取り付け筒部２ａの外周面の一部（又は全部）に糸１１（ポリエステル糸）を緊密に巻き付けて接着剤を塗布することにより抜け止めされている。
【００７２】  また、弁取り付けホース６の基端部外周面と気密体２のホース取り付け筒部２ａ内周面との間には、接着剤層（図示省略）が介在されており、弁取り付けホース６の基端部がホース取り付け筒部２ａから抜けないようにしていると共に、弁取り付けホース６の基端部外周面と気密体２のホース取り付け筒部２ａ内周面との間の気密性が保たれるようにしている。
【００７３】  更に、弁取り付けホース６は、気密体２のホース取り付け筒部２ａへの挿入長さが数ｃｍ以上、好ましくは３ｃｍ以上となるようにホース取り付け筒部２ａに挿入されており、弁取り付けホース６が気密体２から容易に抜けない程度に設定されている。
【００７４】  この実施形態においては、弁取り付けホース６のホース取り付け筒部２ａへの挿入長さは、ホース取り付け筒部２ａの長さとほぼ同じ長さに設定されている。
【００７５】  前記弁取り付けホース６の先端部に設けた安全弁５は、エアーの過剰供給よって気密体２内の圧力が最大使用圧（０．７ＭＰａ）より０．１ＭＰａ高くなったときに気密体２内のエアーを自動的に逃がして気密体２内の圧力を所定圧に戻し、気密体２の破裂を防止するようになっている。この安全弁５の設定圧は、０．８ＭＰａとなっている。
【００７６】  尚、上記の実施形態においては、締め付け手段として、糸１１を用い、気密体２の各ホース取り付け筒部２ａの外周面に糸１１を緊密に巻き付けてエアー供給ホース４及び弁取り付けホース６を各ホース取り付け筒部２ａから抜け止めするようにしているが、他の実施形態においては、締め付け手段として、金属リング（図示省略）や熱収縮チューブ（図示省略）を用いても良い。即ち、エアー供給ホース４及び弁取り付けホース６をそれぞれ挿入した各ホース取り付け筒部２ａを金属リング（図示省略）によりかしめ加工してエアー供給ホース４及び弁取り付けホース６を各ホース取り付け筒部２ａから抜け止めするようにしても良く、或いは、エアー供給ホース４及び弁取り付けホース６をそれぞれ挿入した各ホース取り付け筒部２ａを熱収縮チューブ（図示省略）により締め付け固定してエアー供給ホース４及び弁取り付けホース６を各ホース取り付け筒部２ａから抜け止めするようにしても良い。
【００７７】  前記カバー体７は、図２及び図６に示す如く、摩擦抵抗の少ない合成樹脂チューブ（ポリエチレンチューブ）により一端又は両端が開放された長方形の袋状に形成されており、開放された辺（短辺）に隣接する辺（長辺）には、エアー供給ホース４及び弁取り付けホース６の先端部をそれぞれ外部へ引き出せる引き出し穴７ａが形成されている。このカバー体７は、気密体２を完全に収容できる大きさに形成されている。  ここで、摩擦抵抗の少ない合成樹脂とは、静止摩擦係数が０．１〜０．３、動摩擦係数が０．０４〜０．３の合成樹脂を言う。
【００７８】  尚、上記の実施形態においては、カバー体７をポリエチレンチューブにより形成したが、他の実施形態においては、カバー体７をポリエチレンシートにより袋状に形成しても良く、或いは、カバー体７をフッ素樹脂等の摩擦抵抗の少ない合成樹脂チューブ又は合成樹脂シートにより形成しても良い。例えば、カバー体７をテフロンシートにより形成しても良い。
【００７９】  前記内装体８は、図２及び図７に示す如く、強度性及び摩耗性に優れて伸びが少ないアラミド繊維の帯状の織布から成り、帯状の織布の両端部を重ね合わせ、その重なり部分を縫着８ａすることにより環状で且つ平面形状が長方形状に形成されている。
【００８０】  また、内装体８には、気密体２及びカバー体７が収容されており、内装体８の両端の折り畳み部分内面で気密体２の両端部を保持するようにしている。
【００８１】  更に、内装体８の長手方向の両端部両側辺は、収納した気密体２及びカバー体７が内装体８の側辺から外方へ飛び出さないように適宜の長さだけ逢着８ｂされている。
【００８２】  尚、上記の実施形態においては、内装体８をアラミド繊維製の織布から形成するようにしたが、他の実施形態においては、内装体８をポリエステル繊維製の織布やポリプロピレン繊維製の織布、ポリエチレン繊維の織布、ポリスチレン繊維の織布、ビニロン繊維の織布、LCP繊維（ゼクシオン）の織布、ポリアリレート繊維（ベクトラン）の織布、PBO繊維（ザイロン）の織布、超高分子量ポリエチレン繊維（ダイニーマ）の織布等により形成するようにしても良い。
【００８３】  また、上記の実施形態においては、帯状の織布を縫着８ａして内装体８を形成したが、他の実施形態においては、帯状の織布を接着剤により接着して内装体８を形成するようにしても良い。
【００８４】  前記外装体９は、図１、図２及び図８に示す如く、合成繊維製のたて糸と合成繊維製のよこ糸とを筒状に織成したジャケットの内周面に熱可塑性ポリウレタンエラストマー製のライニング層を形成して成る消防用ホースと同じ構造のホースにより形成されており、ライニング層が外側を向くようにホースを裏返して使用している。このホースには、構造、合成樹脂の性質、密着強さ、機能、耐摩耗性等において消防用ホースの型式試験（日本消防検定協会の行う型式試験）に適合するものが使用されている。  尚、合成繊維製のたて糸及びよこ糸には、ポリエステルフィラメント糸やアラミドフィラメント糸等が使用されている。
【００８５】  また、外装体９は、エアー供給ホース４の先端部と逆止弁付き接続具３と安全弁５とが外装体９の一端開口から外方へ突出する状態で気密体２、カバー体７及び内装体８を収容し、両端部開口を複数の金具１４（鳩目金具）と超音波溶着９ａにより閉じることによって偏平な袋状に形成されており、その大きさは、気密体２、カバー体７及び内装体８を収容できる大きさに設定されている。この外装体９は、その外面側に熱可塑性ポリウレタンエラストマー製のライニング層が形成されているため、耐摩耗性に極めて優れていると共に、機械的強度が高く、また、幅広い使用温度で弾性があり、更に、衝撃強度が強くて低温屈曲に強く、耐油性や耐薬品性、耐菌性等が良好であると云う利点がある。
【００８６】  更に、外装体９の一方の表面には、薄型エアージャッキ１の中心位置を表す環状の中心マーク１５と、薄型エアージャッキ１の注意事項等を記載したコーションマーク１６とがそれぞれ設けられている。
【００８７】  尚、上記の実施形態においては、ライニング層を熱可塑性ポリウレタンエラストマーにより形成したが、他の実施形態においては、ライニング層を他の合成樹脂、例えばＰＥＴ（ポリエチレンテレフタレート）により形成しても良い。
【００８８】  また、上記の実施形態においては、外装体９に消防用ホースと同じ構造のホースを裏返したものを使用するようにしたが、他の実施形態においては、外装体９に強度のある円筒状織物に塗装を施したものを使用するようにしても良い。例えば、強度のある円筒状織物としては、ポリエステル帆布製の円筒状織物が使用され、また、塗装には、ウレタン樹脂、アクリル樹脂、シリコン樹脂、フッ素樹脂等が使用されている。
【００８９】
更に、上記の実施形態においては、外装体９の両端部を金具１４と超音波溶着９ａにより閉じるようにしたが、他の実施形態においては、外装体９の両端部を金具１４と縫着により閉じるようにしても良く、或いは、外装体９の両端部を溶着９ａ又は縫着のみで閉じるようにしても良い。
【００９０】  次に、薄型エアージャッキ１の製造方法について説明する。
【００９１】  先ず、一方の短辺が開放された気密体２の各ホース取り付け筒部２ａにエアー供給ホース４及び弁取り付けホース６の基端部をそれぞれ挿入し、気密体２の内方に位置する各ホース取り付け筒部２ａの外周面の一部に糸１１を緊密に巻き付けて接着剤を塗布する（図３（ａ）及び図３（ｂ）参照）。このとき、エアー供給ホース４及び弁取りホースの基端部外周面と各ホース取り付け筒部２ａ内周面との間に接着剤層を介在させる。これにより、エアー供給ホース４及び弁取り付けホース６は、気密体２のホース取り付け筒部２ａに気密状に取り付けられる。
【００９２】  気密体２の各ホース取り付け筒部２ａにエアー供給ホース４及び弁取り付けホース６の基端部をそれぞれ取り付けたら、気密体２の開口している一方の短辺を溶着２ｂして気密体２を密封する（図３（ｃ）参照）。
【００９３】  気密体２を密封構造としたら、気密体２の短辺側の両端部を内部に折り込むと共に、気密体２の短辺側の両端部外面と、エアー供給ホース４及び弁取り付けホース６に対向する部分で且つ気密体２の長辺側の両端部外面とにダクトテープ製の補強片１０を貼り付ける（図３（ｄ）及び図４参照）。
【００９４】  気密体２に補強片１０を貼り付けたら、気密体２をカバー体７内に収容し、カバー体７の各引き出し穴７ａからエアー供給ホース４及び弁取り付けホース６の先端部をそれぞれカバー体７の外方に引き出す（図６参照）。
【００９５】  気密体２をカバー体７内に収容したら、気密体２及びカバー体７を内装体８内に収容し、エアー供給ホース４及び弁取り付けホース６の先端部をそれぞれ内装体８の外方に引き出す（図７参照）。
【００９６】  最後に、気密体２及びカバー体７を収容した内装体８を筒状の外装体９内に収容し、エアー供給ホース４の先端部分と逆止弁付き接続具３と弁取り付けホース６の先端部に設けた安全弁５とを外装体９の一端部開口から外方へ突出させ、外装体９の両端部を複数の金具１４（鳩目金具）と溶着９ａにより閉じると共に、エアー供給ホース４の一部分と外装体９の一部分とを金属リング１３によるかしめ加工により固定する（図８参照）。
【００９７】  このようにして製造された薄型エアージャッキ１は、長さ約６０ｃｍ、幅約２４ｃｍ、厚さ約６ｍｍ（エアー供給ホース４、弁取り付けホース６、逆止弁付き接続具３及び安全弁５を除く）の大きさに形成されており、最大９，４００ｋｇ程度までの重量物を持ち上げることができるようになっている。  また、この薄型エアージャッキ１の耐圧は２．１ＭＰａ、使用温度範囲は−２０℃〜８０℃、質量は１ｍ当たり１１７０ｇとなっている。
【００９８】  尚、薄型エアージャッキ１の製造方法は、上記の実施形態に限定解釈されるものではなく、種々の変更が可能である。
【００９９】  而して、前記薄型エアージャッキ１を用いて重量物、例えば、フォークリフトを持ち上げる場合について説明する。
【０１００】  先ず、二枚の板材を一定の間隔を空けて地面に置き、その上に金属板を載せると共に、金属板の上にフォークリフトを載せる。次に、地面と金属板との隙間に薄型エアージャッキ１を挿入し、エアー供給ホース４を前記隙間から外方へ引き出す。その後、エアー供給ホース４の先端部に設けた逆止弁付き接続具３を媒介ホースを介して空気供給源（自転車の空気入れ又はコンプレッサー若しくは足踏み式ポンプ）に接続し、空気供給源を操作して気密体２に圧搾空気を注入して行く。そうすると、気密体２が膨張すると共に、これに伴って外装体９も膨張し、フォークリフトを持ち上げることができる。
【０１０１】  上述した薄型エアージャッキ１は、次のような優れた効果を奏することができる。（１）薄型エアージャッキ１は、フィルムにより形成した袋状の気密体２を摩擦抵抗の少ない合成樹脂材により形成した袋状のカバー体７で覆っているため、カバー体７によって気密体２と内装体８との摩擦抵抗が大幅に低減されることになり、その結果、薄型エアージャッキ１に荷重がかかった状態で気密体２が膨らむときに気密体２が均等に膨らみ、気密体２に部分的に負荷がかかると云うことがなく、気密体２の破裂を防止することができて安全性に優れている。（２）薄型エアージャッキ１は、気密体２に安全弁５を設けた弁取り付けホース６を取り付けているため、気密体２を膨らませるときに気密体２内にエアーを入れ過ぎても、安全弁５から過剰なエアーが排出されるので、気密体２が破裂すると云うことが無く、より安全性に優れている。（３）薄型エアージャッキ１は、気密体２の気密性が優れていると共に、外装体９の耐久性及び耐破裂性等が優れているため、使用中にエアーが抜けたり、或いは、使用中に外装体９が破裂したりすると云うことがなく、安全性に極めて優れている。（４）薄型エアージャッキ１は、フィルム製の気密体２、合成樹脂チューブ製のカバー体７、合成繊維製の内装体８、消防用ホースと同じ構造の外装体９等から構成されているため、偏平状にしたときにその厚みが極めて薄くなり、極めて狭い隙間でも差し込むことができる。（５）薄型エアージャッキ１は、エアー供給ホース４の先端部に逆止弁付きカプラーを設けているため、媒介ホースを変えることで、手動式の自転車の空気入れ又はコンプレッサー若しくは足踏み式ポンプでもエアーを供給することができ、取扱性及び操作性に優れている。（６）薄型エアージャッキ１は、気密体２の両端部をそれぞれ内方へ折り込んでいるため、気密体２が膨張しても両端部が無理に引き伸ばされることが無く、密封体の両端が破れるのを防止することができる。（７）薄型エアージャッキ１は、気密体２に形成した二つの筒状のホース取り付け筒部２ａにエアー供給ホース４及び弁取り付けホース６の基端部をそれぞれ挿入し、各ホース取り付け筒部２ａの外周面に糸１１を緊密に巻き付けているため、気密体２にエアー供給ホース４を挿入するための穴を開ける場合に比較して気密体２の強度を保つことができると共に、エアー供給ホース４及び弁取り付けホース６が気密体２から抜け難くなるうえ、ホース保持筒部とエアー供給ホース４との間の気密性が高められてエアーが抜け難くなる。（８）薄型エアージャッキ１は、図９に示す如く、気密体２が膨らんだときにエアー供給ホース４及び弁取り付けホース６の一部分が気密体２の内圧により外装体９の内周面側へ強く押え付けられるため、エアー供給ホース４が気密体２から抜け難くなり、エアー供給ホース４の抜け止めに必要以上の強度を必要としない。（９）薄型エアージャッキ１は、エアー供給ホース４及び弁取り付けホース６の気密体２の各ホース取り付け筒部２ａへの挿入長さをそれぞれ数ｃｍ以上とし、且つエアー供給ホース４及び弁取り付けホース６の基端部外周面と気密体２のホース取り付け筒部２ａ内周面との間に接着剤層を介在させているため、エアー���給ホース４及び弁取り付けホース６が気密体２からより一層抜け難くなると共に、ホース取り付け筒部２ａとエアー供給ホース４及び弁取り付けホース６との気密性がより高められてエアーがより抜け難くなる。（１０）薄型エアージャッキ１は、気密体２の外周縁部にテープ製の補強片１０を貼り付けているため、気密体２の外周縁部が補強され、気密体２にエアーを注入しても、気密体２の外周縁部が破れ難くなる。（１１）薄型エアージャッキ１は、気密体２が膨らんだときに気密体２の両端部がアラミド繊維の織布から成る内装体８により保持されるので、気密体２の両端部が破れ難くなる。（１２）薄型エアージャッキ１は、外装体９に消防用ホースと同じ構造のホースを裏返したものを使用しているため、外装体９の耐摩耗性及び耐候性等が向上すると共に、外装体９７の強度向上を図ることができる。（１３）薄型エアージャッキ１は、エアー供給ホース４の一部分と外装体９の一部分とを金属リング１３によるかしめ加工により固定しているため、エアー供給ホース４がより抜け難くなる。（１４）薄型エアージャッキ１は、気密体２の各ホース取り付け筒部２ａが気密体２の内方に位置しているため、気密体２の膨張時に各ホース取り付け筒部２ａが外力を受けることが無く、気密体２の各ホース取り付け筒部２ａが破れるのを防止することができる。
【０１０２】  尚、上記の実施形態においては、薄型エアージャッキ１を長さが約６０ｃｍｍで幅が約２４ｃｍの長方形状に形成したが、他の実施形態においては、薄型エアージャッキ１を正方形状に形成しても良く、或いは、長尺状に形成するようにしても良い。
【０１０３】  図１０及び図１１は本発明の他の実施形態に係る薄型エアージャッキ１を示し、当該薄型エアージャッキ１は、普通自動車や特殊自動車等の自動車の修理・点検等を行う際に自動車を持ち上げたり、或いは、地震や台風等により倒壊した建物等の所要箇所を持ち上げて下敷きになっている人を救助したりするのに用いるものである。
【０１０４】  即ち、前記薄型エアージャッキ１は、フィルムにより密封構造の矩形の袋状に形成された気密体２と、基端部が気密体２に気密状に挿着されていると共に、先端部に分岐継手１７を設けたエアー供給ホース４と、前記分岐継手１７にそれぞれ接続されたエアー供給源に接続される逆止弁付き接続具３及び安全弁５と、摩擦抵抗の少ない合成樹脂材により矩形の袋状に形成され、前記気密体２をエアー供給ホース４の先端部が外方へ突出する状態で収容するカバー体７と、合成繊維製の織布により矩形の袋状に形成され、前記気密体２及びカバー体７をエアー供給ホース４の先端部が外方へ突出する状態で収容する内装体８と、消防用ホースと同じ構造のホースを裏返して形成した筒状の外装体９又は円筒状織物に塗装を施した筒状の外装体９とを備え、前記外装体９は、前記気密体２、カバー体７及び内装体８を少なくとも逆止弁付き接続具３及び安全弁５の先端部分が外装体９の一端部から外方へ突出する状態で収容すると共に、両端部が閉じられた状態で偏平な袋状に形成されている。
【０１０５】  前記薄型エアージャッキ１は、基端部が気密体２に気密状に取り付けられた一本のエアー供給ホース４の先端部に二股状の分岐継手１７を取り付け、この二股の分岐継手１７に接続されたそれぞれ別々の接続用ホース４ａ，４ｂの先端部に逆止弁付き接続具３と安全弁５とを取り付けたものであり、弁取り付けホース６を省略したものである。  また、エアー供給ホース４の先端部、分岐継手１７、接続用ホース４ａ，４ｂ及び安全弁５は、外装体９から外へ出た状態となっており、何らかの原因により破損した場合に取り替え修理を簡単且つ容易に行えるようにしている。このとき、分岐継手１７の位置は、外装体９の一端から１ｃｍ以上の位置とする。
【０１０６】  尚、上記の実施形態においては、二本の接続用ホース４ａ，４ｂの長さを変えたが、他の実施形態においては、二本の接続用ホース４ａ，４ｂの長さを同じにしても良い。
【０１０７】  また、上記の実施形態においては、分岐継手１７を外装体９の外に出すようにしたが、他の実施形態においては、分岐継手１７を外装体９内に収容するようにしても良い。
【０１０８】  この薄型エアージャッキ１のその他の構成は、図１及び図２に示す薄型エアージャッキ１と同様構造に構成されており、図１及び図２に示す薄型エアージャッキ１と同じ部材・部位には同一の参照番号を付し、その詳細な説明を省略する。
【０１０９】  図１０及び図１１に示す薄型エアージャッキ１は、図１及び図２に示す薄型エアージャッキ１と同様の作用効果を奏することができる。しかも、図１０及び図１１に示す薄型エアージャッキ１は、弁取り付けホース６を省略しているため、図１及び図２に示す薄型エアージャッキ１に比較して組み立て作業の簡略化及び組み立て時間の短縮を図れる。また、図１０及び図１１に示す薄型エアージャッキ１は、逆止弁付き接続具３、安全弁５、エアー供給ホース４、分岐継手１７が外装体９の一方の長辺に片寄った状態で配設されているため、外装体９の他方の長辺部分は、気密体２、カバー体７、内装体８及び外装体９だけの厚みとなるので極めて狭い隙間にも差し込むことができる。
【０１１０】  尚、図１に示す薄型エアージャッキ１は、安全弁５の先端部分のみを外装体９の外に出すようにしたが、弁取り付けホース６の先端部を外装体９の外に出し、安全弁５全体を外装体９の外に出すようにしても良い。
【０１１１】  また、図１及び図１０に示す薄型エアージャッキ１は、何れもエアー供給ホース４の先端部を外装体９の一端から外方へ数ｃｍ突出させるようにしたが、エアー供給ホース４に数ｍの長さのものを使用し、逆止弁付き接続具３の位置を外装体９の一端から大きく突出させるようにしても良い。このようにすれば、薄型エアージャッキ１を水中で使用することができ、地上に位置する逆止弁付き接続具３から薄型エアージャッキ１にエアーを供給すれば、例えば、水中に沈んだ自動車等の重量物を動かしたり、浮かせたりすることが可能となる。この場合、エアー供給ホース４の長さは、最大長さで５ｍ位とする。また、図１に示す薄型エアージャッキ１を水中で使用する場合、弁取り付けホース６をエアー供給ホース４と同じ程度の長さとし、安全弁５が地上に位置するようにする。尚、薄型エアージャッキ１を水中で使用する場合にエアー供給ホース４の長さが足りないときには継ぎ手（図示省略）を用いて別のエアー供給ホース４を継足せば良い。
【産業上の利用可能性】
【０１１２】  本発明の薄型エアージャッキ１は、自動車等の重量物や倒壊した建物等を持ち上げるのに使用するようにしたが、気密体２及び外装体９を外観形状が円筒状になるように大きく膨らませ、大きく膨らませた薄型エアージャッキ１を並列状に並べることによりコロとして使用するようにしても良い。
【符号の説明】
【０１１３】  １は薄型エアージャッキ、２は気密体、２ａは気密体のホース取り付け筒部、２ｂは気密体の溶着、３は逆止弁付き接続具、４はエアー供給ホース、４ａ，４ｂは接続用ホース、５は安全弁、６は弁取り付けホース、７はカバー体、７ａはカバー体の引き出し穴、８は内装体、８ａは内装体の縫着、９は外装体、９ａは外装体の超音波溶着、１０は補強片、１１は糸、１２はホースニップル、１３は金属リング、１４は金具（鳩目金具）、１５は中心マーク、１６はコーションマーク、１７は分岐継手。
【要約】  本発明の薄型エアージャッキは、フィルムにより密封構造の袋状に形成された気密体（２）と、それぞれ基端部が気密体（２）に気密状に挿着されていると共に、先端部にエアー供給源に接続される逆止弁付き接続具（３）を設けたエアー供給ホース（４）と、先端部に安全弁（５）を設けた弁取り付けホース（６）と、合成樹脂材により袋状に形成され、前記気密体（２）を前記両ホース（４、６）の先端部がそれぞれ外方へ突出する状態で収容するカバー体（７）と、合成繊維製の織布により袋状に形成され、前記気密体等（２、７）を前記両ホース（４、６）の各先端部を外方へ突出させて収容する内装体（８）と、消防用ホースと同じ構造のホースを裏返して形成した筒状の外装体（９）又は円筒状織物に塗装を施した筒状の外装体（９）とを備え、前記外装体（９）は、前記気密体等（２、７、８）を少なくとも逆止弁付き接続具（３）及び安全弁（５）の先端部分が外装体（９）の一端部から外方へ突出する状態で収容し、両端部が閉じられた状態で偏平な袋状に形成されている。【図１】
0006017103.tif 000002
【図２】
0006017103.tif 000003
【図３】
0006017103.tif 000004
【図４】
0006017103.tif 000005
【図５】
0006017103.tif 000006
【図６】
0006017103.tif 000007
【図７】
0006017103.tif 000008
【図８】
0006017103.tif 000009
【図９】
0006017103.tif 000010
【図１０】
0006017103.tif 000011
【図１１】
0006017103.tif 000012
【図１２】
0006017103.tif 000013
【図１３】
0006017103.tif 000014
【図１４】
0006017103.tif 000015